(57)【要約】      （修正有）【課題】電子商取引における商品の配送料金を、一回の操作で表示させる決済システム、方法及びプログラムであって、商品の配送先又は電子商材の送信先の入力欄を、商品又は電子商材を販売する者の業態に応じて、柔軟に生成する決済ページ生成システムを提供する。【解決手段】販売者管理サーバー１００は、商品の代金を決済するための決済ページを、顧客端末２００に送信する決済ページ送信手段１０と、配送料金データテーブルを、顧客端末２００に送信する配送料金データテーブル送信手段１１とを有する。顧客端末２００は、配送先住所入力手段２２により、配送先入力欄に配送先住所が入力されると、予め販売者管理サーバー１００から受信して、記憶している配送料金データテーブルを参照し、配送先住所に応じた配送料金を、配送先入力欄が表示される同一画面上に表示する。【選択図】図３
2016095595.tif 000002
【特許請求の範囲】
【請求項１】
電子商取引において、商品を販売する者が管理する販売者管理サーバーを備え、
該販売者管理サーバーは、
該商品の配送先を入力するための配送先入力欄を有する、該商品の代金を決済するための決済ページを、該商品を購入する顧客が操作する顧客端末に送信する決済ページ送信手段と、
該配送先入力欄に入力される配送先住所と該配送先住所までの配送料金を対応付けた配送料金データテーブルを、該顧客端末に送信する配送料金データテーブル送信手段とを有し、
該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得ることを特徴とする決済システム。
【請求項２】
電子商取引において、該配送先入力欄及び／又は電子商材の送信先を入力するための送信先入力欄を有する、該商品又は該電子商材の代金を決済するための決済ページを生成する生成管理サーバーを備え、
該生成管理サーバーは、
該配送先入力欄又は該送信先入力欄のいずれか一方のみを表示することを選択する入力欄表示選択情報を、該商品又は該電子商材を販売する者が操作する販売者操作端末より受信する入力欄表示選択情報受信手段と、
該入力欄表示選択情報を受信した場合に、選択された該配送先入力欄又は該送信先入力欄のいずれか一方を作成する入力欄作成手段と、
該入力欄作成手段により作成された該配送先入力欄又は該送信先入力欄の情報に従って、該決済ページを生成する決済ページ生成手段と、
生成された該決済ページを該販売者操作端末に送信する決済ページ送信手段と
を有することを特徴とする請求項１に記載の決済システムの決済ページ生成システム。
【請求項３】
該決済ページを、該商品又は該電子商材ごとに生成することを特徴とする請求項２に記載の決済ページ生成システム。
【請求項４】
電子商取引において、商品を販売する者が管理する販売者管理サーバーを備え、
該販売者管理サーバーは、
該商品の配送先を入力するための配送先入力欄を有する、該商品の代金を決済するための決済ページを、該商品を購入する顧客が操作する顧客端末に送信する決済ページ送信ステップと、
該配送先入力欄に入力される配送先住所と該配送先住所までの配送料金を対応付けた配送料金データテーブルを、該顧客端末に送信する配送料金データテーブル送信ステップとを有し、
該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得ることを特徴とする決済方法。
【請求項５】
コンピュータを、
電子商取引において、商品を販売する者が管理する販売者管理サーバーを備え、
該販売者管理サーバーは、
該商品の配送先を入力するための配送先入力欄を有する、該商品の代金を決済するための決済ページを、該商品を購入する顧客が操作する顧客端末に送信する決済ページ送信手段と、
該配送先入力欄に入力される配送先住所と該配送先住所までの配送料金を対応付けた配送料金データテーブルを、該顧客端末に送信する配送料金データテーブル送信手段とを有し、
該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得る決済システム
として機能させるための決済プログラム。
【発明の詳細な説明】
【技術分野】
【０００１】
本発明は、決済システム、方法及びプログラム並びに該システムの決済ページ生成システムに関し、電子商取引における商品の配送料金を、一回の操作で表示させる決済システム、方法及びプログラムであって、該商品の配送先又は電子商材の送信先の入力欄を、該商品又は該電子商材を販売する者の業態に応じて、柔軟に生成することのできる該システムの決済ページ生成システムに関する。
【背景技術】
【０００２】
近年の電子商取引における決済システムでは、商品を購入する顧客の端末から、商品の配送先住所に関する情報（商品の配送先入力欄に入力された住所）が、商品を販売する者が管理する管理サーバーへ送信されると、該管理サーバーが、予め該管理サーバーの記憶部に記憶している、配送先住所までの配送料金を対応付けた配送料金データテーブルを参照して、該配送先住所に応じた配送料金を、該顧客の端末に送信し、該顧客の端末が、受信した該配送料金を該顧客の端末上に表示するものとなっている（非特許文献１）。
【０００３】
また、このような従来の決済システムを生成する決済ページ生成システムでは、決済ページに表示される注文フォームの各入力欄（顧客の住所やメールアドレス等）を必須入力項目とするかについて選択できる構成となっている（非特許文献２）。
【先行技術文献】
【非特許文献】
【０００４】
【非特許文献１】胡粉ネイル通販サイト、お買い物ガイド〔平成２６年１０月２９日検索〕、インターネット＜URL: http://www.gofun-nail.com/shopping_guide
【非特許文献２】Ｊｉｍｄｏ＆みんビズの解説、使い方、マニュアルサイト〔平成２６年１０月２１日検索〕、インターネット＜URL: http://jp-m.jimdo.com/連載-実践-ホームページ作成/8-お店をつくろう/
【発明の概要】
【発明が解決しようとする課題】
【０００５】
しかし、非特許文献１に記載されている決済システムにおいて、該顧客の端末上に商品の配送料金を表示するためには、一度、該顧客の端末から、商品の配送先住所に関する情報を該管理サーバーへ送信しなければならない。そのため、このような決済システムでは、顧客が商品の配送料金を知るまでに、「商品の配送先入力欄への住所の入力」、「商品の配送先住所に関する情報の送信」という二回の操作が必要になることから、商品の決済手続きを完了させるまでに時間を要する。
【０００６】
また、このような非特許文献１に記載されている決済システムでは、顧客は、商品の配送先入力欄へ住所を入力しただけでは、即座に商品の配送料金を知ることができない。このため、非特許文献１に記載されている決済システムでは、顧客が予想以上に配送料金が高いと判断し、商品の購入を取り止め又は購入する商品を変更しようと考えた場合でも、該管理サーバーから配送料金が送信された段階（注文内容の確認最終ページまで手続きを進めた段階）で、これらの手続きを行わなければならず、迅速に商品決済の取り止め又は変更を行うことができない。
【０００７】
さらに、非特許文献２に記載されている決済ページ生成システムは、決済ページに表示される注文フォームの各入力欄（顧客の住所やメールアドレス等）を必須入力項目とするかについて選択できる構成となっているものの、必須入力項目ではない入力欄も、注文フォームとして決済ページに表示されるようになっている。このため、非特許文献２に記載されている決済ページ生成システムでは、例えば、電子商取引において、顧客が購入するものがダウンロード可能な音楽データ、映像データ、画像データ、役務の提供を受けるための電子チケット（割引チケットを含む）等（以下、「電子商材」という。）である場合、注文フォームには、商品の配送先入力欄は不要であるにもかかわらず（必要なのは、電子商材の送信先である。例えば、電子商材をダウンロードするのに必要なＵＲＬ、ＩＤ、パスワード等を送信するメールアドレス。）、係る入力欄が表示されてしまうため（非必須入力項目として表示される）、商品又は電子商材を販売する者の業態に応じて、柔軟に決済ページを生成することができない（不要な入力欄が表示されるため、見栄えの悪い決済ページが生成される）。
【０００８】
また、非特許文献２に記載されている決済ページ生成システムでは、上記のとおり、非必須入力項目ではあるものの、不要な入力欄が表示されることから、顧客によっては、決済を行う際、誤って、この入力欄に情報を入力する者もおり、この場合には、商品等の決済に時間を要するという問題が生じる。
【０００９】
そこで、本発明は、上記点に鑑みてなされたものであり、電子商取引における商品の配送料金を、一回の操作で表示させる決済システム、方法及びプログラムであって、該商品の配送先又は電子商材の送信先の入力欄を、該商品又は該電子商材を販売する者の業態に応じて、柔軟に生成することのできる該システムの決済ページ生成システムを提供することを目的とするものである。
【課題を解決するための手段】
【００１０】
請求項１の発明に係る決済システムは、電子商取引において、商品を販売する者が管理する販売者管理サーバーを備え、該販売者管理サーバーは、該商品の配送先を入力するための配送先入力欄を有する、該商品の代金を決済するための決済ページを、該商品を購入する顧客が操作する顧客端末に送信する決済ページ送信手段と、該配送先入力欄に入力される配送先住所と該配送先住所までの配送料金を対応付けた配送料金データテーブルを、該顧客端末に送信する配送料金データテーブル送信手段とを有し、該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得ることを特徴とする。
【００１１】
請求項２の発明に係る決済ページ生成システムは、請求項１に記載の決済システムの決済ページ生成システムであって、電子商取引において、該配送先入力欄及び／又は電子商材の送信先を入力するための送信先入力欄を有する、該商品又は該電子商材の代金を決済するための決済ページを生成する生成管理サーバーを備え、該生成管理サーバーは、該配送先入力欄又は該送信先入力欄のいずれか一方のみを表示することを選択する入力欄表示選択情報を、該商品又は該電子商材を販売する者が操作する販売者操作端末より受信する入力欄表示選択情報受信手段と、該入力欄表示選択情報を受信した場合に、選択された該配送先入力欄又は該送信先入力欄のいずれか一方を作成する入力欄作成手段と、該入力欄作成手段により作成された該配送先入力欄又は該送信先入力欄の情報に従って、該決済ページを生成する決済ページ生成手段と、生成された該決済ページを該販売者操作端末に送信する決済ページ送信手段とを有することを特徴とする。
【００１２】
請求項３の発明に係る決済ページ生成システムは、請求項２に記載の決済ページ生成システムであって、該決済ページを、該商品又は該電子商材ごとに生成することを特徴とする。
【００１３】
請求項４の発明に係る決済方法は、電子商取引において、商品を販売する者が管理する販売者管理サーバーを備え、該販売者管理サーバーは、該商品の配送先を入力するための配送先入力欄を有する、該商品の代金を決済するための決済ページを、該商品を購入する顧客が操作する顧客端末に送信する決済ページ送信ステップと、該配送先入力欄に入力される配送先住所と該配送先住所までの配送料金を対応付けた配送料金データテーブルを、該顧客端末に送信する配送料金データテーブル送信ステップとを有し、該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得ることを特徴とする。
【００１４】
請求項５の発明に係る決済プログラムは、コンピュータを、電子商取引において、商品を販売する者が管理する販売者管理サーバーを備え、該販売者管理サーバーは、該商品の配送先を入力するための配送先入力欄を有する、該商品の代金を決済するための決済ページを、該商品を購入する顧客が操作する顧客端末に送信する決済ページ送信手段と、該配送先入力欄に入力される配送先住所と該配送先住所までの配送料金を対応付けた配送料金データテーブルを、該顧客端末に送信する配送料金データテーブル送信手段とを有し、該顧客端末より、該配送先入力欄に配送先住所が入力されると、該顧客端末は、予め該販売者管理サーバーから受信して、記憶している該配送料金データテーブルを参照し、該配送先住所に応じた配送料金を、該配送先入力欄が表示される同一画面上に表示し得る決済システムとして機能させることを特徴とする。
【発明の効果】
【００１５】
請求項１、４及び５に記載の発明は、販売者管理サーバーが顧客端末に決済ページ及び配送料金データテーブルを送信する構成となっていることから、顧客は、商品の配送先入力欄へ配送先住所を入力するだけで、即座に商品の配送料金を知ることができる。すなわち、顧客端末より、配送先入力欄に配送先住所が入力されると、顧客端末は、予め販売者管理サーバーから受信して、記憶している配送料金データテーブルを参照し、配送先入力欄に入力された配送先住所に応じた配送料金を、配送先入力欄が表示される同一画面上に表示し得ることから、請求項１、４及び５に記載の発明では、顧客は、「商品の配送先入力欄への住所の入力」という一回の操作を行うだけで、商品の配送料金を知ることができ、商品の決済手続きを迅速に完了させることができるのである。
【００１６】
また、上記のとおり、請求項１、４及び５に記載の発明では、顧客は、商品の配送先入力欄へ配送先住所を入力するだけで、即座に商品の配送料金を知ることができることから、顧客が予想以上に配送料金が高いと判断し、商品の購入を取り止め又は購入する商品を変更しようと考えた場合でも、注文内容の確認最終ページまで手続きを進めることなく、これらの手続きを行うことができる（配送先入力欄が表示されているページで、これらの手続きを行うことができるため、迅速に商品決済の取り止め又は変更を行うことができる）。
【００１７】
請求項２に記載の発明では、生成管理サーバーは、販売者操作端末より入力欄表示選択情報を受信した場合、選択された配送先入力欄又は送信先入力欄のいずれか一方の入力欄のみを作成するものとなっていることから、商品又は電子商材を販売する者の業態に応じて、柔軟に決済ページを生成することができる。このことを具体的に説明すると、例えば、電子商取引において、電子商材のみを販売する者の場合、その者の決済ページの注文フォームには、商品の配送先入力欄は不要であり、電子商材の送信先を入力する入力欄のみが表示されればよいことになる。そのため、このような場合には、本発明では、送信先入力欄を選択することで、不要な「商品の配送先入力欄」を表示させないようにすることができることから、電子商材のみを販売しているという「その者の業態」に応じた、柔軟な（見栄えのよい）決済ページを生成することができるのである。
【００１８】
また、本発明では、決済ページの注文フォームに、不要な「商品の配送先入力欄」又は「電子商材の送信先入力欄」を表示させないようにすることができることから、顧客が決済を行う際、誤って、この入力欄に情報を入力することはない。よって、本発明を用いれば、迅速な商品等の決済に資することができる。
【００１９】
請求項３に記載の発明は、上記決済ページを、商品又は電子商材ごとに生成することを特徴とするものであることから、請求項２に記載の発明の効果に加えて、さらに、商品及び電子商材を販売する者の業態に応じた決済ページを柔軟に生成することができる。例えば、電子商取引において、商品、電子商材の双方を販売する者の場合、本発明を用いれば、商品及び電子商材のそれぞれの注文フォームごとに、「商品の配送先入力欄」又は「電子商材の送信先入力欄」のいずれかのみを表示させることができることから、各商品及び電子商材に適した決済ページを生成することが可能となる。
【図面の簡単な説明】
【００２０】
【図１】本発明の実施例１に係る決済システムを含む全体システムを示す図である。
【図２】本発明の実施例１に係る決済システムの販売者管理サーバーのハードウェア構成を示す図である。
【図３】本発明の実施例１に係る決済システムを含む全体システム示すブロック図である。
【図４】本発明の実施例１に係る決済システムにおいて、商品の決済を行うまでの手順を示すフローチャートである。
【図５】本発明の実施例１に係る決済システムにおいて、顧客端末上に表示される決済ページのレイアウト図である。
【図６】本発明の実施例１に係る決済システムの配送料金データテーブルを示す図である。
【図７】本発明の実施例２に係る決済ページ生成システムを含む全体システムを示す図である。
【図８】本発明の実施例２に係る決済ページ生成システムの生成管理サーバーのハードウェア構成を示す図である。
【図９】本発明の実施例２に係る決済ページ生成システムを含む全体システムの構成を示すブロック図である。
【図１０】本発明の実施例２に係る決済ページ生成システムにおいて、決済ページを生成するための手順を示すフローチャートである。
【図１１】本発明の実施例２に係る決済ページ生成システムにおいて、販売者操作端末上に決済ページ生成情報入力画面を表示させた状態を示すレイアウト図である。
【図１２】本発明の実施例２に係る決済ページ生成システムにおいて、販売者操作端末上に配送料金情報作成画面を表示させた状態を示すレイアウト図である。
【図１３】本発明の実施例２に係る決済ページ生成システムにおいて、販売者操作端末上に決済ページを表示させた状態を示すレイアウト図である。
【発明を実施するための形態】
【００２１】
以下、添付図面を参照しながら本発明を実施するための形態について詳細に説明する。
【実施例１】
【００２２】
図１は、本発明の実施例１に係る決済システムを含む全体システムを示す図である。
【００２３】
本全体システムは、決済システム機器本体である販売者管理サーバー１００と、販売者管理サーバー１００にインターネット網を介して接続される顧客端末２００より構成される（顧客端末２００は、１台〜ｎ台（ｎは２以上の整数）で構成される。）。
【００２４】
なお、本全体システムでは、顧客端末２００に対して、決済システムのサービスを提供する場合、販売者管理サーバー１００から見て、顧客端末２００の使用者を顧客と呼ぶことができ、また、顧客端末２００から見て、販売者管理サーバー１００の使用者を商品の販売者（以下、「販売者」という。）と呼ぶことができる。
【００２５】
次に、販売者管理サーバー１００及び顧客端末２００のハードウェア構成について説明する。
【００２６】
図２は、本発明の実施例１に係る決済システムの販売者管理サーバーのハードウェア構成を示す図である。
【００２７】
販売者管理サーバー１００は、本決済システム全体の動作を制御する制御部１０１、後述する商品購入希望情報や商品購入依頼情報等の各種情報を記憶するメモリ１０２、ディスプレイ等の出力部１０３、キーボード等の入力部１０４、後述する配送料金データテーブル等を記憶するハードディスク１０５及び顧客端末２００と情報の送受信を行う通信部１０６を備える。
【００２８】
顧客端末２００は、ネットワーク接続機能を有するスマートフォン、タブレット端末又はパーソナルコンピュータ（ＰＣ）等のハードウェアから構成される（図示略）。
【００２９】
続いて、上述のように構成された決済システムの動作（商品の決済を行うまでの手順）について説明する。
【００３０】
図３は、本発明の実施例１に係る決済システムを含む全体システムを示すブロック図であり、図４は、本発明の実施例１に係る決済システムにおいて、商品の決済を行うまでの手順を示すフローチャートである。図５は、本発明の実施例１に係る決済システムにおいて、顧客端末上に表示される決済ページのレイアウト図であり、図６は、本発明の実施例１に係る決済システムの配送料金データテーブルを示す図である。
【００３１】
まず、ステップＳ１では、顧客より、販売者の運営するＥＣ（electronic commerce）サイトを通じて、購入を希望する商品が選択されると、顧客端末２００は、商品名、商品の販売価格、商品の購入希望数量等が含まれる商品購入希望情報を販売者管理サーバー１００へ送信する。
【００３２】
そして、ステップＳ２において、販売者管理サーバー１００は、通信部１０６によって、顧客端末２００から、商品購入希望情報を受信する。なお、商品購入希望情報は、販売者管理サーバー１００のメモリ１０２に記憶される。
【００３３】
ステップＳ３では、販売者管理サーバー１００は、ステップＳ２で受信した商品購入希望情報に基づいて、ハードディスク１０５に記憶している商品情報（商品名、価格（単価）、商品画像等を含む情報）を抽出し、これを購入商品情報として、通信部１０６によって、顧客端末２００へ送信する。なお、購入商品情報には、商品名、商品の購入希望数量に応じた価格、商品画像等が含まれる。
【００３４】
ステップＳ４では、顧客端末２００は、販売者管理サーバー１００より、購入商品情報を受信する。そして、顧客より、購入商品情報の内容で当該商品を購入することが決定されると、顧客端末２００は、ステップＳ５において、商品購入依頼情報を販売者管理サーバー１００へ送信し、販売者管理サーバー１００は、ステップＳ６において、通信部１０６より、顧客端末２００から、商品購入依頼情報を受信する。なお、商品購入依頼情報は、販売者管理サーバー１００のメモリ１０２に記憶される。
【００３５】
ステップＳ６で、商品購入依頼情報を受信した販売者管理サーバー１００は、ステップＳ７において、ハードディスク１０５に記憶している決済ページ５０を、通信部１０６によって、顧客端末２００へ送信する（決済ページ送信手段１０）。
【００３６】
顧客端末２００がステップＳ８で、決済ページを受信すると（決済ページ受信手段２０）、顧客端末２００のディスプレイ上には、図５に示す決済ページ５０が表示される（決済ページ表示手段２１）。なお、決済ページ５０には、顧客のお名前、住所、電話番号等の基本情報を入力する基本情報欄５１、配送先等を選択又は入力する配送先欄５２、配送先住所を入力する配送先住所欄５３、商品の配送料金を表示する配送料金欄５４及びお支払方法を選択する支払方法欄５５が設けられている。
【００３７】
続いて、販売者管理サーバー１００は、ステップＳ９において、ハードディスク１０５に記憶している配送料金データテーブル６０（図６）を、通信部１０６によって、顧客端末２００へ送信し（配送料金データテーブル送信手段１１）、顧客端末２００は、ステップＳ１０において、配送料金データテーブル６０を販売者管理サーバー１００より受信する（配送料金データテーブル受信手段２４）。なお、受信した配送料金データテーブル６０は、顧客端末２００のハードディスク（図示略）に記憶される（配送料金データテーブル記憶手段２５）。
【００３８】
ステップＳ１１では、顧客端末２００に表示される決済ページ５０より、基本情報欄５１、配送先欄５２、配送先住所欄５３及び支払方法欄５５の各情報入力欄等へ情報が入力される。このとき、配送先等を選択する配送先欄５２ａ又は配送先等を選択する配送先欄５２ｂ及び配送先住所欄５３（配送先入力欄）へ情報が入力されると（配送先住所入力手段２２）、顧客端末２００は、ステップＳ１２において、ハードディスクに記憶している配送料金データテーブル６０を参照し、ステップＳ１３において、配送先欄５２ａ又は配送先欄５２ｂ及び配送先住所欄５３へ入力された情報に応じた商品の配送料金を配送料金欄５４に表示する（配送料金表示手段２３）。
【００３９】
このようなステップＳ１１〜ステップＳ１３の流れを、より詳しく説明すると、顧客が基本情報欄５１に入力した住所に商品の配送を希望する場合には、配送先欄５２ａにチェック（情報）が入力される（ステップＳ１１）。配送先欄５２ａにこのような情報が入力されると、顧客端末２００は、これを契機にハードディスクに記憶している配送料金データテーブル６０を参照し（ステップＳ１２）、配送先欄５２ａに入力された情報（基本情報欄５１に入力された住所）に応じた商品の配送料金を配送料金欄５４に表示する（ステップＳ１３）。例えば、基本情報欄５１に入力された住所が、「北海道○○市」の場合、配送料金欄５４には、配送料金データテーブル６０の「北海道○○市」の配送料金（「５４０円」）が表示される（図６）。
【００４０】
また、顧客が基本情報欄５１に入力した住所と異なる住所に商品の配送を希望する場合には、配送先欄５２ｂにチェック（情報）が入力されるとともに、配送先住所欄５３に配送先を希望する住所（情報）が入力される（ステップＳ１１）。なお、配送先住所欄５３への情報の入力は、各入力欄への文字入力により行われる。そして、配送先住所欄５３の「都道府県」及び「市町村」の入力欄に情報が入力され、他の項目の入力欄（「番地」の入力欄等）へカーソルが移動されると、顧客端末２００は、これを契機にハードディスクに記憶している配送料金データテーブル６０を参照し（ステップＳ１２）、配送先住所欄５３の「都道府県」及び「市町村」の入力欄に入力された情報に応じた商品の配送料金を配送料金欄５４に表示する（ステップＳ１３）。例えば、配送先住所欄５３の「都道府県」及び「市町村」の入力欄に入力された住所が、「東京都××市」の場合、配送料金欄５４には、配送料金データテーブル６０の「東京都××市」の配送料金（「２３０円」）が表示される（図６）。
【００４１】
このような手順で商品の配送料金が表示され、顧客が商品の代金及び配送料金を確認し、最終的に当該商品の購入を決定すると、顧客より確定ボタン５６がクリックされる（ステップＳ１４）。そして、顧客端末２００は、ステップＳ１５において、商品の購入を確定する商品購入確定情報を販売者管理サーバー１００へ送信する。
【００４２】
ステップＳ１６では、販売者管理サーバー１００は、通信部１０６によって、顧客端末２００から商品購入確定情報を受信し、ステップＳ１７では、商品の購入を顧客から受け付けたことを示す商品購入受付情報を、通信部１０６によって、顧客端末２００に送信する。そして、ステップＳ１８において、顧客端末２００が販売者管理サーバー１００より、商品購入受付情報を受信すると、本決済システムにおける決済手続きが終了する。
【００４３】
なお、ステップＳ１４において、顧客が当該商品の購入を決定しないときは、リセットボンタン５７をクリックして、ステップＳ１９に進む。そして、顧客が購入する商品を他の商品に変更する場合には、販売者の運営するＥＣサイトを通じて、購入を希望する他の商品を選択し、ステップＳ１の手順に戻る。また、このとき、顧客が購入する商品を他の商品に変更しない場合（商品の購入自体を取り止める場合）には、そのまま手続きを終了させる。
【００４４】
このように、本発明は、販売者管理サーバー１００が顧客端末２００に決済ページ５０及び配送料金データテーブル６０を送信する構成となっていることから、顧客は、商品の配送先入力欄（配送先欄５２ａ又は配送先欄５２ｂ及び配送先住所欄５３）へ情報（配送先住所）を入力するだけで、即座に商品の配送料金を知ることができる。すなわち、顧客端末２００より、配送先欄５２ａ又は配送先欄５２ｂ及び配送先住所欄５３に情報が入力されると、顧客端末２００は、予め販売者管理サーバー１００から受信して、記憶している配送料金データテーブル６０を参照し、配送先欄５２ａ又は配送先欄５２ｂ及び配送先住所欄５３へ入力された情報に応じた配送料金を、これらの入力欄（５２ａ、５２ｂ、５３）が表示される同一画面上（配送料金欄５４）に表示し得ることから、本発明では、顧客は、「商品の配送先入力欄への住所の入力」という一回の操作を行うだけで、商品の配送料金を知ることができ、商品の決済手続きを迅速に完了させることができるのである（顧客の端末上に商品の配送料金を表示するのに、従来のように、一度、顧客の端末から、商品の配送先住所に関する情報を管理サーバーへ送信する必要がない）。
【００４５】
また、上記のとおり、本発明では、顧客は、商品の配送先入力欄へ配送先住所を入力するだけで、即座に商品の配送料金を知ることができることから、顧客が予想以上に配送料金が高いと判断し、商品の購入を取り止め又は購入する商品を変更しようと考えた場合でも、注文内容の確認最終ページまで手続きを進めることなく、これらの手続きを行うことができる（配送先入力欄が表示されているページで、これらの手続きを行うことができるため、迅速に商品決済の取り止め又は変更を行うことができる）。
【００４６】
なお、本実施例では、決済ページ５０と配送料金データテーブル６０を販売者管理サーバー１００から顧客端末２００へ別々のタイミングで送信するものとしているが（ステップＳ７、ステップＳ９）、本発明では、顧客が配送先入力欄（配送先欄５２ａ又は配送先欄５２ｂ及び配送先住所欄５３）へ情報（配送先住所）を入力する段階で、配送料金データテーブル６０が顧客端末２００へ送信されていればよいのであるから、このような条件を満たすタイミングであれば、配送料金データテーブル６０の送信のタイミングは、本実施例のように限られるものではない。例えば、ステップＳ７のタイミングで、決済ページ５０と配送料金データテーブル６０を別々の情報として、顧客端末２００へ送信することもできるし、これらの情報を一つの情報として、ステップＳ７のタイミングで送信するようにしてもよい。
【００４７】
また、本実施例では、「都道府県」及び「市町村」の入力欄に入力された情報に応じて、配送料金が決定されているが、これを「都道府県」の入力欄のみに入力された情報に応じて決定することもできる。このとき、配送料金データテーブル６０の配送料金を、都道府県ごとに設定しておく必要があることは勿論である（例えば、「北海道＝６００円」、「東京都＝３００円」等）。
【００４８】
さらに、本実施例では、顧客が基本情報欄５１に入力した住所と異なる住所に商品の配送を希望する場合、配送先欄５２ｂにチェック（情報）を入力するとともに、配送先住所欄５３に配送希望住所（情報）を入力するものとしているが（ステップＳ１１）、本決済システムにおける決済手続きを、より簡素化したいのであれば、配送先欄５２ｂを設けずに、直接、配送先住所欄５３に配送希望住所（情報）を入力するように構成してもよい。
【００４９】
加えて、本実施例では、配送先住所欄５３への情報の入力を、各入力欄への文字入力により行うものとしているが、これを他の方法において、入力することができることは勿論である。例えば、配送先住所欄５３への情報の入力を、郵便番号検索５３ａによって入力するようにしてもよい。具体的には、顧客が配送先住所欄５３にある「郵便番号」の入力欄に郵便番号を入力して、郵便番号検索５３ａをクリックすると、顧客端末２００は、予めハードディスクに記憶している郵便番号データテーブル（図示略）を参照し、「郵便番号」の入力欄に入力された郵便番号と一致する住所（都道府県及び市町村）を抽出して、これを配送先住所欄５３の「都道府県」及び「市町村」の入力欄に入力する。なお、このとき、顧客端末２００は、配送先住所欄５３の「都道府県」及び「市町村」の入力欄に情報が入力された段階で、配送料金データテーブル６０の参照を開始する。また、他の入力方法としては、「都道府県」及び「市町村」のコマンドを予め作成しておき、これらのコマンドをプルダウンメニューにより入力することが挙げられる。なお、このときにも、顧客端末２００は、配送先住所欄５３の「都道府県」及び「市町村」の入力欄に情報が入力された段階で、配送料金データテーブル６０の参照を開始する。
【００５０】
最後に、本実施例の決済システムは、決済方法であってもよいし、コンピュータを決済システム又は方法として機能させるためのプログラムでも実現される。このプログラムは、コンピュータで読み取り可能な記録媒体に格納されていてもよい。なお、上記記録媒体は、本実施例の決済システムのＲＯＭそのものや、外部記憶装置（ＣＤ−ＲＯＭドライブ等）に挿入することで読み取り可能なＣＤ−ＲＯＭ、磁気テープ、カセットテープ、フレキシブルディスク、ハードディスク、ＭＯ／ＭＤ／ＤＶＤ等、又は半導体メモリであってもよい。
【００５１】
このように、本実施例では、本発明の趣旨を逸脱しない範囲で種々の変更が可能であることはいうまでもない。
【実施例２】
【００５２】
本発明の実施例２に係る決済ページ生成システムは、本発明の実施例１に係る決済システムの決済ページ生成システムである。以下、添付図面を参照しながら本発明の実施例２に係る決済ページ生成システムを実施するための形態について詳細に説明する。
【００５３】
図７は、本発明の実施例２に係る決済ページ生成システムを含む全体システムを示す図である。
【００５４】
本全体システムは、決済ページ生成システム機器本体である生成管理サーバー３００と、生成管理サーバー３００にインターネット網を介して接続される販売者操作端末４００より構成される（販売者操作端末４００は、１台〜ｎ台（ｎは２以上の整数）で構成される。）。
【００５５】
なお、本全体システムでは、販売者操作端末４００に対して、決済ページ生成システムのサービスを提供する場合、生成管理サーバー３００から見て、販売者操作端末４００の使用者を決済ページ生成者（実施例１における「販売者」）と呼ぶことができ、また、販売者操作端末４００から見て、生成管理サーバー３００の使用者をサービス提供者と呼ぶことができる。
【００５６】
次に、生成管理サーバー３００及び販売者操作端末４００のハードウェア構成について説明する。
【００５７】
図８は、本発明の実施例２に係る決済ページ生成システムの生成管理サーバーのハードウェア構成を示す図である。
【００５８】
生成管理サーバー３００は、本決済ページ生成システム全体の動作を制御する制御部３０１、後述する決済ページ生成情報等の各種情報を記憶するメモリ３０２、ディスプレイ等の出力部３０３、キーボード等の入力部３０４、配送料金データテーブル６０等を記憶するハードディスク３０５及び販売者操作端末４００と情報の送受信を行う通信部３０６を備える。
【００５９】
販売者操作端末４００は、ネットワーク接続機能を有するスマートフォン、タブレット端末又はパーソナルコンピュータ（ＰＣ）等のハードウェアから構成される（図示略）。
【００６０】
続いて、上述のように構成された決済ページ生成システムの動作（決済ページを生成するまでの手順）について説明する。
【００６１】
図９は、本発明の実施例２に係る決済ページ生成システムを含む全体システムの構成を示すブロック図であり、図１０は、本発明の実施例２に係る決済ページ生成システムにおいて、決済ページを生成するための手順を示すフローチャートである。図１１は、本発明の実施例２に係る決済ページ生成システムにおいて、販売者操作端末上に決済ページ生成情報入力画面を表示させた状態を示すレイアウト図であり、図１２は、本発明の実施例２に係る決済ページ生成システムにおいて、販売者操作端末上に配送料金情報作成画面を表示させた状態を示すレイアウト図を表す。また、図１３は、本発明の実施例２に係る決済ページ生成システムにおいて、販売者操作端末上に決済ページを表示させた状態を示すレイアウト図である。
【００６２】
まず、ステップＳ２０では、生成管理サーバー３００は、通信部３０６によって、販売者操作端末４００から、決済ページ生成情報を受信する。なお、受信した決済ページ生成情報は、生成管理サーバー３００のメモリ３０２に記憶される。
【００６３】
ここで、決済ページ生成情報とは、販売者操作端末４００のディスプレイ上に表示される決済ページ生成情報入力画面７０（図１１）から、決済ページ生成者によって入力された「決済ページに表示を希望する情報」のことをいう。
【００６４】
図１１に示すように、決済ページ生成情報入力画面７０には、「商品又電子商材に関する情報７１」（商品名や価格等）、「注文フォームに関する情報７２」（基本情報７２ａ、配送先等情報７２ｂ）及び「支払方法に関する情報７３」の情報が表示されており、決済ページ生成者が、これらの情報の内、決済ページに表示したい情報にチェック等の情報を入力して、保存ボタン７４をクリックすると、決済ページ生成情報が、販売者操作端末４００から生成管理サーバー３００へ送信されることになる。なお、リセットボタン７５をクリックすると、入力した決済ページ生成情報はクリアされることになる。
【００６５】
次に、決済ページ生成者が、決済ページ生成情報を作成する際、配送先等情報７２ｂの「配送先入力欄７２ｃ」又は「送信先入力欄７２ｄ」のいずれかにチェック（情報）を入力すると、「配送先入力欄７２ｃ」又は「送信先入力欄７２ｄ」のいずれかにチェックが入力されたという情報は、「入力欄表示選択情報」として、決済ページ生成情報に含めた形で（「入力欄表示選択情報」は、決済ページ生成情報の一部として）、販売者操作端末４００から生成管理サーバー３００へ送信される（入力欄表示選択情報送信手段４０）。
【００６６】
ステップＳ２１において、生成管理サーバー３００が、通信部３０６によって、「入力欄表示選択情報」を受信すると（入力欄表示選択情報受信手段３０）、生成管理サーバー３００は、ステップＳ２２において、受信した入力欄表示選択情報に従って、選択された配送先入力欄又は送信先入力欄のいずれか一方を作成する（入力欄作成手段３１）。なお、受信した入力欄表示選択情報は、生成管理サーバー３００のメモリ３０２に記憶される。
【００６７】
そして、生成管理サーバー３００は、ステップＳ２３において、入力欄作成手段３１により作成された配送先入力欄又は送信先入力欄の情報に従って、決済ページ５０又は９０を生成する（決済ページ生成手段３２）。具体的には、入力欄作成手段３１によって、配送先入力欄のみが作成されている場合には、図５に示す決済ページ５０が生成され（注文フォームには、配送先入力欄のみが表示されている）、入力欄作成手段３１によって、送信先入力欄のみが作成されている場合には、図１３に示す決済ページ９０が生成されることになる（注文フォームは、送信先入力欄のみが表示されている）。なお、決済ページ９０には、顧客のお名前、住所、電話番号等の基本情報を入力する基本情報欄９１、送信先メールアドレスを入力等する配送先欄９２及びお支払方法を選択する支払方法欄９３が設けられている。
【００６８】
生成管理サーバー３００が、ステップＳ２１において、入力欄表示選択情報を受信しない場合には、ステップＳ２３の手順に進み、決済ページを生成する。なお、入力欄表示選択情報を受信しない場合とは、「配送先入力欄７２ｃ」、「送信先入力欄７２ｄ」の双方にチェックが入力されていないか、又は、これらの双方にチェックが入力されていることをいう。このため、生成管理サーバー３００は、これらの双方にチェックが入力されていない場合には、配送先入力欄及び送信先入力欄を作成せず、また、これらの双方にチェックが入力されている場合には、配送先入力欄及び送信先入力欄の双方を作成した上で、決済ページを生成する（これらの場合において、生成した決済ページについては図示略）。なお、作成された決済ページ５０又は９０等は、生成管理サーバー３００のハードディスク３０５に記憶される。
【００６９】
続いて、生成管理サーバー３００は、ステップＳ２４において、通信部３０６によって、販売者操作端末４００から配送料金情報を受信する。ここで、配送料金情報とは、配送料金データテーブル６０を作成するために必要な「配送先地域」及び該配送先地域に対応した「配送料金」に関する情報のことをいう。配送料金情報は、販売者操作端末４００上で作成される。具体的には、販売者操作端末４００のディスプレイ上には、図１２に示す配送料金情報作成画面８０が表示され、決済ページ生成者は、販売者操作端末４００を通じて、配送先地域及びこれに対応する配送料金を入力する（例えば、図１２に示すように、「北海道○○市」＝「５４０円」と入力する）。そして、配送料金情報が作成されると、該配送料金情報は、販売者操作端末４００より、生成管理サーバー３００へ送信されることになる。なお、受信した配送料金情報は、生成管理サーバー３００のメモリ３０２に記憶される。
【００７０】
ステップＳ２５では、生成管理サーバー３００は、販売者操作端末４００から受信した配送料金情報に従って、配送料金データテーブル６０を作成する。作成された配送料金データテーブル６０は、生成管理サーバー３００のハードディスク３０５に記憶される。
【００７１】
ステップＳ２６では、生成管理サーバー３００は、ステップＳ２３で生成した決済ページ５０又は９０等及びステップＳ２５で作成した配送料金データテーブル６０を、通信部３０６によって、販売者操作端末４００へ送信し（決済ページ送信手段３３）、販売者操作端末４００は、これらを生成管理サーバー３００から受信する（決済ページ受信手段４１）。
【００７２】
このように、本発明は、生成管理サーバー３００が、販売者操作端末４００より入力欄表示選択情報を受信した場合、選択された配送先入力欄又は送信先入力欄のいずれか一方の入力欄のみを作成するものとなっていることから、商品又は電子商材を販売する者の業態に応じて、柔軟に決済ページを生成することができる。具体的には、電子商取引において、電子商材のみを販売する者の場合、その者の決済ページの注文フォームには、商品の配送先入力欄は不要であり、電子商材の送信先を入力する入力欄のみが表示されればよいことになる。そのため、このような場合には、本発明では、送信先入力欄を選択することで、不要な「商品の配送先入力欄」を表示させないようにすることができることから、電子商材のみを販売しているという「その者の業態」に応じた、柔軟な（見栄えのよい）決済ページを生成することができるのである。
【００７３】
また、本発明では、決済ページの注文フォームに、不要な「商品の配送先入力欄」又は「電子商材の送信先入力欄」を表示させないようにすることができることから、顧客が決済を行う際、誤って、この入力欄に情報を入力することはない。よって、本発明を用いれば、迅速な商品等の決済に資することができる。
【００７４】
なお、本実施例では、上記決済ページを、商品又は電子商材ごとに生成することができるようにしておけば、さらに、商品及び電子商材を販売する者の業態に応じた決済ページを柔軟に生成することができる。例えば、電子商取引において、商品、電子商材の双方を販売する者の場合、本発明を用いれば、商品及び電子商材のそれぞれの注文フォームごとに、「商品の配送先入力欄」又は「電子商材の送信先入力欄」のいずれかのみを表示させることができることから、各商品及び電子商材に適した決済ページを生成することが可能となる。
【００７５】
また、本実施例では、配送先等情報７２ｂの「配送先入力欄７２ｃ」又は「送信先入力欄７２ｄ」のいずれかを選択する際、これにチェック（情報）を入力するものとしているが、例えば、「表示する」、「表示しない」等のコマンドを予め作成しておき、これらのコマンドをプルダウンメニューにより入力して選択するように構成してもよい。
【００７６】
さらに、本実施例では、「入力欄表示選択情報」を、決済ページ生成情報に含めた形で（「入力欄表示選択情報」は、決済ページ生成情報の一部として）、販売者操作端末４００から生成管理サーバー３００へ送信するものとしているが、「入力欄表示選択情報」を決済ページ生成情報とは別の情報として生成管理サーバー３００へ送信するように構成することも可能である。
【００７７】
加えて、本実施例では、配送料金情報の作成の際、配送先地域に「都道府県」及び「市町村」の情報を入力するものとしているが（図１２）、配送料金をよりシンプルに設定したいのであれば、配送先地域に「都道府県」の情報のみを入力するように構成してもよい（例えば、「北海道＝６００円」、「東京都＝３００円」等）。
【００７８】
また、本実施例においては、配送料金情報の入力の際、例えば、「都道府県」（北海道等）、「市町村」（○○市等）、「配送料金」（５４０円等）のコマンドを予め作成しておき、これらのコマンドをプルダウンメニューにより入力するよう構成することもできる。
【００７９】
最後に、本実施例の決済ページ生成システムは、決済ページ生成方法であってもよいし、コンピュータを決済ページ生成システム又は方法として機能させるためのプログラムでも実現される。このプログラムは、コンピュータで読み取り可能な記録媒体に格納されていてもよい。なお、上記記録媒体は、本実施例の決済ページ生成システムのＲＯＭそのものや、外部記憶装置（ＣＤ−ＲＯＭドライブ等）に挿入することで読み取り可能なＣＤ−ＲＯＭ、磁気テープ、カセットテープ、フレキシブルディスク、ハードディスク、ＭＯ／ＭＤ／ＤＶＤ等、又は半導体メモリであってもよい。
【００８０】
このように、本実施例では、本発明の趣旨を逸脱しない範囲で種々の変更が可能であることはいうまでもない。
【符号の説明】
【００８１】
１０      決済ページ送信手段
１１      配送料金データテーブル送信手段
２０      決済ページ受信手段
２１      決済ページ表示手段
２２      配送先住所入力手段
２３      配送料金表示手段
２４      配送料金データテーブル受信手段
２５      配送料金データテーブル記憶手段
３０      入力欄表示選択情報受信手段
３１      入力欄作成手段
３２      決済ページ生成手段
３３      決済ページ送信手段
４０      入力欄表示選択情報送信手段
４１      決済ページ受信手段
５０      決済ページ
６０      配送料金データテーブル
７０      決済ページ生成情報入力画面
８０      配送料金情報作成画面
９０      決済ページ
１００    販売者管理サーバー
１０１    制御部
１０２    メモリ
１０３    出力部
１０４    入力部
１０５    ハードディスク
１０６    通信部
２００    顧客端末
３００    生成管理サーバー
３０１    制御部
３０２    メモリ
３０３    出力部
３０４    入力部
３０５    ハードディスク
３０６    通信部
４００    販売者操作端末
【図１】
2016095595.tif 000003
【図２】
2016095595.tif 000004
【図３】
2016095595.tif 000005
【図４】
2016095595.tif 000006
【図５】
2016095595.tif 000007
【図６】
2016095595.tif 000008
【図７】
2016095595.tif 000009
【図８】
2016095595.tif 000010
【図９】
2016095595.tif 000011
【図１０】
2016095595.tif 000012
【図１１】
2016095595.tif 000013
【図１２】
2016095595.tif 000014
【図１３】
2016095595.tif 000015